(57)【要約】      （修正有）【課題】器具に装着可能な嵩高ではないコードレスの照明装置を提供する。【解決手段】照明装置１０は器具用のコードレス照明アタッチメントであり、基端及び先端並びにその基端から先端へと延びる内部空洞を有するハウジング３０、３２を備える。ハウジング内を通り基端から先端へと延びる開口３４が形成される。照明装置の内部には器具が受容され、その器具に対し可脱取付される。照明装置は、ハウジング上又はハウジング内に配置された電池を組み込んだ電源によって給電される少なくとも１個の光源１８を有する。【選択図】図３
2018186100.tif 000002
【特許請求の範囲】
【請求項１】
基端及び先端を有しており、その基端から先端へと延びる略先細り又は円錐状の内部空洞を画定しており、当ハウジング内を通り基端から先端へと延びる開口がその内部空洞により形成されており、その内部に器具の先細り又は円錐状部分のうち所定部分のみが可着脱受容されうるよう構成されているハウジングと、
上記ハウジングの略先端に配置されており、視野を照らせるよう工夫及び構成されている少なくとも１個の光源と、
上記ハウジング内に配置されており、上記少なくとも１個の光源に電力を供給してその光源を発光させるよう工夫及び構成されている電源と、
を備える照明装置。
【請求項２】
請求項１記載の照明装置であって、上記ハウジングが、上記所定部分にて上記器具を少なくとも略全周的に囲む照明装置。
【請求項３】
請求項１記載の照明装置であって、上記少なくとも１個の電源がピン型電池であり、概ね基端から先端へと向かう方向に沿いその長尺方向が延びるようそのピン型電池が上記ハウジング内に配置されている照明装置。
【請求項４】
請求項１記載の照明装置であって、上記少なくとも１個の光源が少なくとも１個のＬＥＤライトを有する照明装置。
【請求項５】
請求項１記載の照明装置であって、更に、上記ハウジングから上記空洞内に延びる少なくとも１個の出っ張りを備え、その出っ張りが、第１リムと、その第１リムから先端に向かいある角度で延びる第２リムと、を有し、その第２リムが、上記器具のうち上記所定部分に連接し本装置をその器具にしっかりと可脱固定するよう工夫及び構成されたタングを有する照明装置。
【請求項６】
請求項５記載の照明装置であって、更に、上記タングに面し延びる弾性スリーブ及びそのタングのうち少なくとも一部分に付された被覆のうち、少なくとも一方を備え、当該少なくとも一方が、上記タング・上記器具間摩擦接触をもたらし本装置・上記器具間相対摺動に抗するよう構成されている照明装置。
【請求項７】
請求項５記載の照明装置であって、更に、上記ハウジングに対し動かせるようそのハウジング内に配置された略先細り状又は円錐状のスリーブを備え、そのスリーブが、上記空洞及び上記開口と、基端から外方に延びていてユーザが連接しうるように工夫及び構成されているフランジと、当スリーブの先端に形成された面取部と、を画定しており、上記スリーブを上記ハウジングに対し先端方向に動かしたときに、上記面取部が上記少なくとも１個の出っ張りと連接して当該少なくとも１個の出っ張りを上記器具から分離させる照明装置。
【請求項８】
請求項１記載の照明装置であって、更に、上記空洞内に向け内方に延びる出っ張りを備え、その中への受容時に上記器具のうち上記所定部分との摩擦接触がもたらされ本装置が器具にしっかりと可脱固定されるよう、その出っ張りが工夫及び構成されている照明装置。
【請求項９】
請求項１記載の照明装置であって、更に、
上記電源から上記少なくとも１個の光源へと電力を供給するためのものであり、当該少なくとも１個の光源に電力が供給されない常開状態及び当該少なくとも１個の光源に電力が供給される閉状態を有する電気回路と、
上記ハウジング内に配置されており、導電部分を有し膨れうるよう工夫及び構成されている可撓部分を有しており、膨れると、その導電部分で上記常開電気回路が閉じられていない第１ポジションから、当該導電部分で上記電気回路が閉じられていて電力が上記少なくとも１個の光源に供給され当該少なくとも１個の光源が発光する第２ポジションへと、上記導電部分が上記電気回路に対し動くフレームと、
を備え、上記可撓部分が、更に、その内法にあり上記器具のうち上記少なくとも一部分を受容してそれと連接しうるよう構成されている開口を有し、当該可撓部分が上記器具のうち上記少なくとも一部分と連接しているときにその可撓部分が膨れると、上記第１ポジションから上記第２ポジションへと上記導電部分が上記電気回路に対し動く照明装置。
【請求項１０】
請求項１記載の照明装置であって、更に、上記ハウジング内に配置されており、上記ハウジングの先端寄りにあり、その内法には開口があり、その上には電子部材が固定されている第１プレートと、上記ハウジング内に配置されており、上記ハウジングの基端寄りにあり、その内法には開口があり、その上には電子部材及び複数個のバネが固定されている第２プレートと、を備える照明装置。
【請求項１１】
請求項１０記載の照明装置であって、更に、上記ハウジング内に配置されていて金属プレートを有するフレームを備え、その金属プレートがそのフレームの先端に固定されていて上記第１プレートと接触可能であり、その接触により上記電気回路が完成され上記少なくとも１個の光源が発光する照明装置。
【請求項１２】
請求項１記載の照明装置であって、更に、その内法に開口があり上記ハウジング内に受容可能なフレームと、その内法に開口があり上記フレーム内に受容可能なスリーブと、上記ハウジングから延びる出っ張りと、を備え、上記器具と連接して本装置をその器具にしっかり固定するよう上記出っ張りが工夫及び構成されている照明装置。
【請求項１３】
基端及び先端を有しており、その基端から先端へと延びる内部空洞を画定しており、当ハウジング内を通り基端から先端へと延びる開口がその内部空洞により形成されており、その内部に器具のうち少なくとも一部分が受容されうるよう構成されているハウジングと、
上記ハウジングの略先端に配置されており、視野を照らせるよう工夫及び構成されている少なくとも１個の光源と、
上記ハウジング内に配置されており、上記少なくとも１個の光源に電力を供給してその光源を発光させるよう工夫及び構成されている電源と、
上記ハウジングから上記空洞内に延びており、第１リム及びその第１リムから先端に向かいある角度で延びる第２リムを有しており、その第２リムがタングを有しており、上記器具のうち上記少なくとも一部分に連接し本装置をその器具にしっかりと可脱固定するよう上記タングが工夫及び構成されている少なくとも１個のセルフロック型出っ張りと、
を備える照明装置。
【請求項１４】
請求項１３記載の照明装置であって、上記器具が上記空洞内に受容されているときに、（ｉ）上記セルフロック型出っ張りがバネ装荷されること及び（ｉｉ）上記セルフロック型出っ張りが塑性変形することのうち少なくとも一方により、出っ張り・上記器具間接触が保たれる照明装置。
【請求項１５】
基端及び先端を有しており、その基端から先端へと延びる内部空洞を画定しており、当ハウジング内を通り基端から先端へと延びる開口がその内部空洞により形成されており、その内部に器具のうち少なくとも一部分が受容されうるよう構成されており、その器具のうち上記少なくとも一部分の外径寸法より小さい内径寸法を有するカラー部分がその基端にあり、そのカラー部分の壁を通じ基端から略先端に向かう方向に沿い延びるスリットが当該カラー部分により画定されており、上記器具のうち上記少なくとも一部分が入ってきたときに上記カラーが膨らんでその器具のうち上記少なくとも一部分の上記外径寸法が受容されるよう且つその器具のうち上記少なくとも一部分に圧縮力が加わって本装置がその器具にしっかりと摩擦固定されるよう、上記スリットが構成されているハウジングと、
上記ハウジングの略先端に配置されており、視野を照らせるよう工夫及び構成されている少なくとも１個の光源と、
上記ハウジング内に配置されており、上記少なくとも１個の光源に電力を供給してその光源を発光させるよう工夫及び構成されている電源と、
を備える照明装置。
【請求項１６】
基端及び先端を有しその先端に開口がある器具と、
基端及び先端を有しており、その基端から先端へと延びる内部空洞を画定しており、当ハウジング内を通り基端から先端へと延びる開口がその内部空洞により形成されており、その内部に上記器具のうち少なくとも一部分が受容されうるよう構成されているハウジングと、
上記ハウジングの上記開口の先端を通じ延ばすことが可能であり、上記器具の上記開口内にしっかりと受容可能であり、当シャフトから径方向外方に延びていて上記ハウジングの先端と接触させうるカラーを有しており、その接触により上記ハウジングが上記器具上にしっかりと固定されるシャフトと、
上記ハウジングの略先端に配置されており、視野を照らせるよう工夫及び構成されている少なくとも１個の光源と、
上記ハウジング内に配置されており、上記少なくとも１個の光源に電力を供給してその光源を発光させるよう工夫及び構成されている電源と、
を備える照明付器具。
【請求項１７】
基端及び先端を有しており、その基端から先端へと延びる内部空洞を画定しており、当ハウジング内を通り基端から先端へと延びる開口がその内部空洞により形成されており、その内部に器具のうち少なくとも一部分が受容されうるよう構成されているハウジングと、
上記ハウジングの略先端に配置されており、視野を照らせるよう工夫及び構成されている少なくとも１個の光源と、
上記ハウジング内に配置されており、第１プレート・第２プレート間にあり、上記少なくとも１個の光源に電力を供給してその光源を発光させるよう工夫及び構成されている電源と、
上記電源から上記少なくとも１個の光源へと電力を供給するためのものであり、上記少なくとも１個の光源に電力が供給されない常開状態及び上記少なくとも１個の光源に電力が供給される閉状態を有する電気回路と、
上記ハウジング内に配置されており、導電部分を有する可撓部分を有しており、その可撓部分に膨らむ余地があり、膨れると、上記導電部分で上記常開電気回路が閉じられていない第１ポジションから、上記導電部分で上記電気回路が閉じられていて電力が上記少なくとも１個の光源に供給される第２ポジションへと、当該導電部分が当該電気回路に対し動くフレームと、
を備え、上記可撓部分が、更に、その内法にあり器具のうち上記少なくとも一部分を受容してそれと連接するよう構成されている開口を有し、当該可撓部分が上記器具のうち上記少なくとも一部分と連接しているときにその可撓部分が膨らむと、上記第１ポジションから上記第２ポジションへと上記導電部分が上記電気回路に対し動く照明装置。
【請求項１８】
請求項１７記載の照明装置であって、上記可撓部分がベロ−を有する照明装置。
【請求項１９】
請求項１７記載の照明装置であって、上記器具のうち上記少なくとも一部分を上記可撓部分から分離させると、その可撓部分が縮み、上記第２ポジションから上記第１ポジションへと上記導電部分が上記電気回路に対し動き、ひいてはその電気回路を開かせる照明装置。
【発明の詳細な説明】
【技術分野】
【０００１】
［関連出願の相互参照］
本願は、この参照を以て本願の一部として明示的に組み入れられるところの、「手術器具照明アタッチメント」(Operative Instrument Light Attachment)と題する２０１３年４月１日付米国暫定特許出願第６１／８５３２３２号につき、米国特許法第１１９条（ｅ）に基づく利益を享受する出願である。
【０００２】
［発明の分野］
本発明は照明装置に関する。より具体的には、本発明は、器具又は物体に取り付けうる無線照明装置に関する。
【背景技術】
【０００３】
照明装置を使用することで、オペレータは、空間又は領域を照明して明るい視野をもたらし、それによりその空間又は領域をより精密に管制、強調することができる。照明装置は、多くの場合、さもなければ十分な量の光を安定的に受け取れないであろう閉空間又は狭隘空間を照明するのに役立てることができる。既存の照明装置のうち、種々の器具例えば医用装置やネジ回しに連結可能なものなら、その装置又は器具が使用されようとしている領域を照明することができる。そうした照明装置及び光源としては、そのアタッチメント（取付体）から延びていて電源に接続可能な電気コードを有するアタッチメントや、電池から給電を受けるアタッチメントや、個別の視野上に光が送られるよう器具内に一体形成された光源がある。
【０００４】
医療現場では、照明装置が、手術又は検査の対象となる個別の領域に光を差し向けるのに使用されている。例えば、照明装置を、経組織切開用ＢＯＶＩＥ（登録商標）ペン等のハンドヘルド式電子手術装置や、他の様々な手術器具例えば開創器及び鉗子と、併用することができる。照明付開創器は手術に広く使用されていて、手術野の照明に役立っている。
【０００５】
本発明の発明者は、従来から既知の照明装置が有する多数の難点について洞察した。例えば、既知の照明装置のうちその内部に光源が一体形成されているものは、一般に高価、嵩高であり、しかも負傷を引き起こしかねない。既知のコードレス照明装置やコード付照明装置では器具に顕著な嵩が加わるので、ユーザは、多くの状況で必要とされる精度にてその器具を操ることや、その器具を狭空間内に届かせることができない。加えて、多くの照明装置特にコード付照明装置では、恒常的な再位置決めが必要であり、その取扱が厄介であり、保持又は再位置決めをアシスタントに頼ることになり、更には手術野を損ねかねない。更に、コード付照明装置や器具内一体形成型光源は、高温になってユーザ及び／又は患者にやけどを負わせかねず、更には火災さえも引き起こしかねない。照明装置の代わりにヘッドライトを使用することもできる。しかしながら、照明装置と同じくヘッドライトも嵩高であり、一般に電源接続用ケーブルを必要とし、恒常的な再調整を必要とし、しかも潜在的な安全性ハザードをもたらしかねない。更に、頭部に装着される分、ヘッドライトは手術野からの距離が大きくてその有効性が低く、しかもユーザにとり取扱が厄介になりがちで、更には長時間装着していると疲労してしまう。
【先行技術文献】
【特許文献】
【０００６】
【特許文献１】米国特許出願公開第２００９／００５４８９０号明細書（Ａ１）
【特許文献２】米国特許第７９２７２４０号明細書（Ｂ２）
【特許文献３】米国特許第６０８４４２２号明細書（Ａ）
【特許文献４】米国特許出願公開第２０１２／０２８３７２８号明細書（Ａ１）
【特許文献５】米国特許第５６９２８６３号明細書（Ａ）
【特許文献６】米国特許第４５３９００３号明細書（Ａ）
【特許文献７】米国特許出願公開第２０１３／０３３１６５７号明細書（Ａ１）
【特許文献８】米国特許第７５００９４７号明細書（Ｂ２）
【特許文献９】米国特許第６５１７５５１号明細書（Ｂ１）
【特許文献１０】米国特許第７００８０７６号明細書（Ｂ２）
【特許文献１１】米国特許出願公開第２００５／００６５４９６号明細書（Ａ１）
【特許文献１２】米国特許出願公開第２０１１／０２５７４８８号明細書（Ａ１）
【特許文献１３】米国特許出願公開第２０１１／０２６１５８３号明細書（Ａ１）
【特許文献１４】米国特許出願公開第２０１２／０１４９９９２号明細書（Ａ１）
【特許文献１５】米国特許出願公開第２０１２／０２８３７１８号明細書（Ａ１）
【特許文献１６】米国特許第４５４２７４１号明細書
【特許文献１７】米国特許第４６１９２４８号明細書
【特許文献１８】米国特許第４６５７０１２号明細書
【特許文献１９】米国特許第５２８１１３４号明細書
【特許文献２０】米国特許第６４２８１８０号明細書
【特許文献２１】米国特許第６４９６７１８号明細書
【特許文献２２】米国特許第６５０４９８５号明細書
【特許文献２３】米国特許第６６４８９０２号明細書
【特許文献２４】米国特許第６９５５４４４号明細書
【特許文献２５】米国特許第７０８３６１３号明細書
【特許文献２６】米国特許第７１０８３９５号明細書
【特許文献２７】米国特許第７２７０４３９号明細書
【特許文献２８】米国特許第７３２２１３５号明細書
【特許文献２９】米国特許第７３９３１１４号明細書
【特許文献３０】米国特許第７３９９１０１号明細書
【特許文献３１】米国特許第７６３１９８１号明細書
【特許文献３２】米国特許第７８３２９１４号明細書
【特許文献３３】米国特許第７９２２３７８号明細書
【特許文献３４】米国特許第８０３８４３９号明細書
【特許文献３５】米国特許第８１５２７１８号明細書
【特許文献３６】米国特許第８１８６８６４号明細書
【特許文献３７】米国特許第８２４６２３０号明細書
【特許文献３８】米国特許第８２６７８５５号明細書
【特許文献３９】米国特許第８３２８４０２号明細書
【特許文献４０】米国特許第８３７１８４８号明細書
【特許文献４１】米国特許第８４０３８４３号明細書
【特許文献４２】国際公開第ＷＯ２００６／０６５２７１号パンフレット（Ａ２）
【特許文献４３】独国実用新案第２０２００４  ００２９６３号明細書（Ｕ１）
【発明の概要】
【発明が解決しようとする課題】
【０００７】
しかるに、本発明の目的は、従来技術が有している上述の欠点及び／又は短所のうち１個又は複数個を克服することにある。
【課題を解決するための手段】
【０００８】
本発明は、器具又は物体に取り付けて視野内を照明することが可能なコードレス照明装置に関する。器具の端部に接し且つ面し本装置が摺動する構成なら、従来既知の装置に比べ小さな外形とより対称的な照明野とがもたらされる。本装置は、使用中は器具上にしっかりと保持されるが取り外しが可能である。ある種の実施形態に係る照明装置は、器具又は物体への取り付けに応じ自動的に起動させることができ、またその器具又は装置からの取り外しに応じ自動的に停止させることができる。
【０００９】
ある種の実施形態に係る照明装置には、基端及び先端を有していて、基端から先端にかけ略先細り又は円錐状の内部空洞が延びていて、同ハウジングを貫き基端から先端へと延びる開口がその内部空洞により形成されるような、ハウジングが備わる。そのハウジングの先端には、視野を照明するライトが１個又は複数個備わる。その又はそれらのライトは、本装置内のオンボード電源例えば電池から給電を受ける。本装置は、器具の先細り又は円錐状の部分に可脱取付される。その内部空洞は、同空洞内に器具のうち幾らかの部分が受容されそこに同空洞が取付されるように形状設定及び構成される。このような構成では、本照明装置の位置を選び最も有利な位置にすることができる。例えば手術器具の場合、本装置を器具の鋭利部分付近に配置することで、本装置を手術部位に極力近づけ、可能な限り良好例えば直接的な照明を提供することができる。
【００１０】
ある種の実施形態に係る照明装置には、基端及び先端並びに内部空洞を有していて、同ハウジングを貫き基端から先端へと延びる開口がその内部空洞により形成されるような、ハウジングが備わる。そのハウジングの先端には、視野を照明するライトが１個又は複数個備わる。その又はそれらのライトは、本装置内のオンボード電源例えば電池から給電を受ける。本装置は、内部空洞内にある前傾角(forward angle)（先端に向かう角）で延びる１個又は複数個のセルフロック型出っ張りにより、器具に可脱取付される。本装置を器具上に装着、例えば器具の先端から器具の基端へと向かう方向に沿い装着する際には、その又はそれらの出っ張りが随時前方向及び／又は上方向に撓み、本装置・器具間の相対摺動運動を可能とする。反面、器具の先端方向に本装置を動かそうとする際には、その又はそれらの出っ張りが前傾角を有していることから、器具との連接(engagement)により、その又はそれらの出っ張りが基端及び／又は下方向へと引かれることとなる。これにより、入楔(wedging)効果が生じ、及び／又は、その又はそれらの出っ張りから器具の表面に作用する力が増加して、本装置を器具上に保持する力が増すこととなる。これは、本装置が器具から不意に外れる機会を減少させる。
【００１１】
ある種の実施形態に係る照明装置の先端及び／又は基端にはスプリットカラー（割襟）部分が備わる。このカラー上にスリットがあるため、本照明装置は、膨らんでその内部空洞内に器具を受け容れることができる。このような構成では、本発明を様々なサイズの器具上に装着することができる。スプリットカラーを形成する素材にバネ力があるためシャフト上に加わる圧縮力は、本装置を器具に対し例えば摩擦的にしっかりと固定するのに役立つ。
【００１２】
器具のなかには、複数個のインタフィッティング（嵌合）片を有していて、第１部分例えばブレードを同器具の第２部分内例えばハンドル内に挿入取付可能なものがある。ある種の実施形態に係る本光源付装置では、器具の第２部分例えばハンドルを本装置の空洞内に入れた上で、第１部分例えばブレードを第２部分内に挿入してそこにしっかりと固定することができる。その種の器具のなかには、径方向外方に延びるカラーが第１部分に備わり、通常使用時にそのカラーが器具の端部に当接するものがある。ある種の実施形態に係る本光源付装置の先端には、ブレード上のカラーの外径より小さな内径を有するフランジ又は接触部分が備わる。器具の第１部分を第２部分に挿入／固定するとそのカラーが本装置の接触部分と接触又は当接するので、本装置が器具にしっかりと固定されると共に、本装置が器具から不意に外れにくくなる。
【００１３】
ある種の実施形態に係る照明装置は、器具に取り付けると自動的に発光し、及び／又は、器具から取り外すと自動的に消灯する。例えば、ある種の実施形態には、ハウジング内で先端寄りにありその上にはライトに通電する電子部材が固定されている第１プレートと、ハウジング内でハウジングの基端寄りにありその上に電子部材が存する第２プレートとが備わる。これら第１プレート、第２プレート及び電源により、ライトに給電して照明光を発生させる全き電気回路を形成することができる。非装着ポジションでは、電源例えばバッテリを伴うこの電気回路が完成されないためライトは発光しない。本装置を器具上に装着するとその電気回路が完成してライトが発光する。本装置を器具から取り外すと同回路が再び開きライトが消灯する。
【発明の効果】
【００１４】
本発明の長所のうち一つは、従来装置に比べ照明装置がコンパクトなことである。他の長所は、照明装置を器具に容易に取り付けうること及びその器具から容易に取り外しうることである。更に他の長所は、器具に対する照明装置の取付と同時並行的に光源を発光させうるため、組立及び使用が効率化及び容易化されることである。更なる長所は、器具の所望部分にて又は面しその器具に照明装置をしっかりと固定できることである。これらを含め、本発明及び／又はその現下好適な実施形態の目的及び長所については、以下の詳細な説明及び別紙図面に照らせば、より速やかに明らかとなろう。
【図面の簡単な説明】
【００１５】
【図１】器具上に配置されていてその器具のシャフトが貫通している照明装置の前斜視図である。
【図２】図１の照明装置であって器具に連結されているものの右側面図である。
【図３】図１の照明装置の前斜視図である。
【図４】図１の照明装置の後斜視図である。
【図５】図１の照明装置の右側面図である。
【図６】図１の照明装置の正面図である。
【図７】図１の照明装置の背面図である。
【図８】図１の照明装置の図４内Ａ−Ａ線沿い後斜視断面図である。
【図９】図１の照明装置の図６内Ｂ−Ｂ線沿い断面図である。
【図１０】図１の照明装置の分解図である。
【図１１】図１の照明装置のうち外ハウジングの図１０内Ｃ−Ｃ線沿い後斜視断面図である。
【図１２】図１の照明装置のうち外ハウジング内に受容される内フレームの前斜視図である。
【図１３】図１の照明装置のうちその上に光源が配置されている第１プレートの後斜視図である。
【図１４】図１の照明装置のうち第２プレートの前斜視図である。
【図１５】図１４の照明装置のうち第２プレートの後斜視図である。
【図１６】図１の照明装置のうち、第１プレート、第２プレート及びそれらプレート間に配置された電源からなるアセンブリの側面図である。
【図１７】他の実施形態に係り、器具のシャフトの周沿いに延びるショルダによりその器具にしっかりと固定されている照明装置の前斜視図である。
【図１８】更に他の実施形態に係りスプリットカラーを有する照明装置の構成の斜視図である。
【図１９】他の実施形態に係り、スリーブから内側に延びる出っ張りを有していてその出っ張りにより器具にしっかりと可脱固定される照明装置の斜視図である。
【発明を実施するための形態】
【００１６】
以下、本発明の実施形態を示す別紙図面を参照しつつ、本発明についてより詳らかに説明する。但し、本発明は多様な形態で具現化されうるので、本願記載の実施形態に限定されるものとして本発明を認定すべきではない。同様の部材には一貫して同様の符号を付してある。
【００１７】
図１及び図２に示す実施形態では、コードレス照明装置、即ち参照符号１０でその全体が指し示されている装置が、器具１２の先端のうち一部分に接し且つ面するよう装着されており、またその部分に対し可脱となっている。器具１２のシャフト１４は、本装置１０で器具１２が囲まれることとなるよう、本照明装置１０の基端から先端へと延びる開口を通じ更に先に延ばすことができる。図示実施形態における器具１２はＢＯＶＩＥ（登録商標）ペン、そのシャフト１４はＢＯＶＩＥ（登録商標）ペンのブレードである。しかしながら、本発明は、手術用か非手術用かを問わず、様々な形状及び寸法を有する様々な種類の器具上に装着することができる。本件技術分野に習熟した者（いわゆる当業者）には本願中の詳述に従いご理解頂けるように、本照明装置１０及びその諸構成要素の寸法及び形状は、所望の器具を受け容れること及びその器具上に装着することができるように、改変することができる。
【００１８】
大略、器具１２上の所定位置に本照明装置１０を摩擦連接させると、指向性のある光ストリームが同装置１０から自動的に発射される。本照明装置１０は、同照明アタッチメント１０の基端に軸力を印加することでターンオフさせ器具１２から分離させることができ、ひいてはその器具１２から本照明装置１０を取り外すことができる。実施形態によっては、本照明装置に、光源の動作状態をコントロールするためのオン／オフスイッチ又はボタンが、代わりに設けられる。
【００１９】
図３〜図７に照明装置１０の諸方向外観及び構成部材を示す。これから詳述する通り、本照明装置１０には、大略、ハウジング１６、少なくとも１個の光源１８、第１プレート２０、フレーム２２、第２プレート２４、スリーブ２６及び電源２８が備わっている。
【００２０】
図３〜図７及び図１０に示すように、ハウジング１６は、第１ハウジング要素３０と、第１ハウジング要素３０に連結すること例えば差し込むことが可能でその連結によりハウジング１６が完成する第２ハウジング要素３２とを有している。実施形態によっては、第１ハウジング要素３０及び第２ハウジング要素３２が、連結時に、内部部材をハウジング１６内への流体侵入から保護できるよう概ね流体密なシール（封止部）を形成する。ここで示した実施形態ではハウジング１８が２個のハウジング要素３０，３２を有しているが、それら２個の相独立な要素に代え１個の単体要素でハウジング１８を形成することも難しくない。
【００２１】
第１ハウジング要素３０は、基端から先端へと延び内部空洞を画定している開口３４と、第１ハウジング要素３０の外周沿いにあり外方に張り出している複数個の出っ張り３６と、ハウジング１６の先端から基端に向かい内方に延びる窪み３８とを有している。光源１８はその窪み３８内に位置している。即ち、窪み３８は、外部の面との接触から光源１８を保護している。その逆に、窪み３８は、光源１８に直に接触すると損傷しかねない外部の面例えば組織に光源１８が接触することを減らし又は防ぐのにも役立つ。窪み３８は、また、特定の照明対象空間へと光源１８を差し向ける助けにもなる。実施形態によっては、窪み３８の表面を反射素材で形成又は被覆できるので、いわゆる当業者にとり自明な通り、窪みの形状と相俟ち、光源１８に発する光をその面で方向転換させて照明を更に指向させ又は制御することができる。
【００２２】
実施形態によっては、光源１８に、第１ハウジング要素３０先端の周沿いに配置された複数個のＬＥＤライトが備わる。これらＬＥＤライトで白色光を発生させてもよいし、例えばＵＶ発光染料又は素材を照明すべくＵＶ光を発生させてもよい。図３、図５、図９、図１０、図１３及び図１６ではＬＥＤライトが２個使用されている。ＬＥＤライトが２個なので、本照明装置１０により特定の空間へと十分な量の光を差し向けその領域を穏健な電力消費で照明することができると共に、ユーザの視界が遮られないよう装置１０を流線形状に保ち、本照明装置の重量及び価格を抑えることができる。とはいえ、いわゆる当業者にはご理解頂けるように、ライトはユーザが必要とするところに応じ何個でも使用することができるし、ＬＥＤライトに代え既知の又は既知となるであろうどのような光源、例えばホトルミネッセンス、化学発光、エレクトロルミネッセンス、スナップスティック及びグロースティックでも使用することができる。更に、図示の通り、これらのライト１８は本装置１０内にほぼ等角度間隔で配置されている。これは、光をより均等に分布させるのに役立つ。とはいえ、本発明には光源１８の様々な好適配置が包括される。
【００２３】
本装置１０は、種々のアタッチメント機構を用い器具１２又は物体に可脱取付することができる。図８及び図１１に示す実施形態では、本照明装置１０に複数個の出っ張り４０が備わっており、それらがハウジング１６内に形成された窪み４２内に配置されているため、本照明装置１０を器具１４に可脱取付することができる。この出っ張り４０は、窪み４２内にあってハウジング１６の内周からある角度で内方に延びて出っ張り４０と摩擦接触する角度付ストップ４３により、その窪み４２内に固定されている。出っ張り４０は、また、第２ハウジング要素３２から延びていてその出っ張り４０と接触しうる出っ張り４４により、窪み４２内に固定されている。図示実施形態では、それらの出っ張り４０がある前傾角にて装置１０の先端方向に向けられている。それらにバネ装荷してもよい。出っ張り４０は、第１リム４６、その第１リム４６からある前傾角で延びる第２リム４８、並びにその第２リム４８からより小さな前傾角で延びるタング５０を有している。出っ張り４０及びタング５０は、本装置１０が器具１２上に装着されたときにその器具１２の外面に接触するよう配置及び構成されている。
【００２４】
タング５０・器具１２間の接触により、本装置１０は器具１２上に配置されたままに保たれる。タング５０・器具１２外面間の接触で生じる摩擦は、本装置１０・器具１２間相対摺動を妨げるのに役立つ。その摩擦の量は、部分的には、タング５０が器具１２に及ぼす力に左右される。その力は、器具１２・タング５０間干渉の度合いと、出っ張り４０のバネ特性とにより左右される。前者に関していえば、干渉が強いほど、即ち器具１２の外面がタング非圧縮状態におけるタング５０間空間より大きい度合いが高いほど、出っ張り４０が器具表面により例えば図８の実施形態では外方へとより多く圧縮されることとなり、また器具１２に働く逆向きのバネ力が強くなる。後者に関していえば、出っ張り４０のバネ特性は、その出っ張り４０を形成している素材のバネ特性と、出っ張り４０それ自体の構成とにより左右される。図８に示すように、第２リム４８は第１リム４６との関係で梃子腕として作用する。この出っ張りの実効バネ定数は、第２リム４８の長さ及び前傾角を大きくすると小さくなる。
【００２５】
いわゆる当業者にはご理解頂けるように、その際、摩擦量は、部分的には、出っ張り４０の構成を定めること及び出っ張り４０を形成する素材を選定することによりコントロールすることができる。従って、本装置１０に働く摩擦保持力を、想定動作条件下で本装置１０が器具１２から不意に外れないようにするのに十分なものとすることができる。故に、出っ張り４０は、金属、プラスチック、炭素繊維その他、既知の又は既知となるであろうあらゆる好適な素材で形成することができる。
【００２６】
摩擦力は、また、部分的に、器具１２に接触するタング５０を形成している素材の摩擦係数にも左右される。例えば、強い摩擦力が望まれる場合、タングを比較的高摩擦な素材例えばラバー等の弾性素材で形成するか、或いはタングの接触面に接し又は面しスリーブ、エンドキャップ又は被覆をそのタングに設けることで、所望の摩擦把持力を発生させることができる。例えば、出っ張り４０を金属又はプラスチックで形成することで、出っ張り４０に対し強度及び全体として好ましいバネ定数を付与すること、それでいて器具に対し低摩擦接触面をもたらすことができる。高めの摩擦係数を有する素材例えばラバーをタング５０に組み込むこと、例えばその素材でタング５０を被覆することにより、所望の摩擦係数を実現してもよい。
【００２７】
器具１２の外面が比較的柔軟な素材で形成されており、且つタング５０が十分に硬質な素材で形成されているか尖鋭な構造例えば鋭利な縁を有している場合、タング５０で器具１２の外面をある程度変形させること、例えばそこに“食い込ませる”ことによって、単なる摩擦連接だけの場合よりしっかりと本装置１０を固定することができる。本発明の発明者が発見したところによれば、多くの場合器具１２に有害な損傷を及ぼすのに不十分なほど少量の変形でも、本装置１０の保持性が顕著に強まる。
【００２８】
図示実施形態では、第２リム４８の前傾角により、装着が過剰に阻害されないようにしながら、器具１２からの本装置１０の分離に抗するセルフロック効果即ち入楔効果を提供している。図８から最もよく分かるように、本装置１０が器具１２上に装着（或いは逆に器具１２が本装置１０の空洞／開口内に挿入）されているとき、器具１２の外面がタング５０と接触すると、それによりタング５０上ひいては出っ張り４０上に先端方向の力が作用する。出っ張り４０がこれにより前方（先端方向）及び外方に付勢されるので、器具１２上での保持力が穏当になる。他方、諸部品を逆方向（図８では器具１２を相対的に右、本装置１０を相対的に左）に動かそうとすると、器具１２の表面とタング５０との間の接触を通じ、タング５０上ひいては出っ張り４０上に基端方向（後方）の力が作用する。その出っ張りがこれにより後方（基端方向）及び内方に付勢されるので、器具１２に対し出っ張り４０が入楔される等、出っ張り４０が器具１２に及ぼす力が強まるため、器具５０上における本装置１０の保持性が高まる。この動作は、器具１２及び本装置１０の不意な分離を防ぐのに役立つ。
【００２９】
図示実施形態特に図８及び図９のそれでは、スリーブ２６がフレーム２２内、フレーム２２がハウジング１６内に入っている。そのスリーブ２６は、基端から外方に延びるフランジ６２と、面取済の先端面６４とを有している。その面取済面６４は、出っ張りの第２リム４８に当接するか、その付近に存している。器具１２から本照明装置１０を取り外す際には、フランジ６２に対し先端方向に力を加えることで、スリーブ２６に撓み、或いは本照明アタッチメント１０の先端に向かう軸方向移動を起こさせる。面取済面６４は第２リム４８と接触し、その第２リム４８に抗する楔又はランプとして機能する。これにより前方（先端方向），径方向外方双方の力が第２リム４８に作用するので、第２リム４８が偏向して例えば器具１２との連接が解かれ、及び／又は、取り外しの間、出っ張り４０に対する上述の入楔作用が妨げられる。こうなれば、本装置１０を器具１２から取り外すことができる。図示実施形態の場合、それらスリーブ２６及びフランジ６２がハウジング１６を越え外方（基端方向）に延び、本装置１０の基端を形成している。そのため、器具１２から本装置１０を取り外す際は、ユーザが、装置の後端（基端）例えばフランジに強く触れ、本装置１０を先端方向（前方）に動かす。シャフト１４が大きすぎ、器具１２におけるシャフト１４の位置を保ったまま本装置１０を取り外すことができない場合は、装置１０を取り外せるよう、シャフト１４を器具１２から取り払う。
【００３０】
図示実施形態では、スリーブ２６がテーパを帯びて略円錐状又は先細り形状となっており、器具１４に備わり略円錐状又は先細り形状を有する先端に面し延びている。しかしながら、いわゆる当業者にはご理解頂けるように、スリーブ２６は、その上にそのスリーブ２６が配置される器具１４の形状を受け容れうるものなら、どのような既知形状の形態も採りうる。例えば、器具１４が円筒状である場合や、器具１４の先端ではなく器具１２のシャフト１４が本装置１０の取付先でありそこが円筒状である場合には、その器具１２及び／又はシャフト１４の輪郭におおよそ整合するようスリーブ２６を円筒状にするとよい。
【００３１】
いわゆる当業者にはご理解頂けるように、図示実施形態では角度付でバネ装荷型の出っ張り４０が使用されているが、スリーブ２６に人力を印加しないとアタッチメント１０が察知されないよう十分な把持力が同じく確保されるものである限り、出っ張り４０は様々な構造的構成を採りうる。例えば、実施形態によっては、出っ張り４０を、バネ装荷型ではなく、ややリジッドで塑性変形可能なものとする。その種の実施形態では、装置１０を器具１２に取り付けたとき及び／又は装置１０を器具１２から取り外したときに出っ張り４０が塑性変形しうる。結果として、出っ張り４０を変形させるにはその出っ張り４０にある程度の力を作用させることが必要になるため、本装置１０が器具１２から不意に外れることはなく、それでいて概ね意図的な程度の分離力を装置１０に及ぼしたときだけ外れることとなる。実施形態によっては、或いは、出っ張り４０を、本装置１０（ひいては出っ張り４０）に対しある程度の分離力を作用させることでハウジング１６から破断又は分離可能なものとする。ひとたび破断又は分離すると、その出っ張り４０では本装置１０が器具１２上に保持されなくなる。いわゆる当業者にはご理解頂けるように、出っ張り４０は、分離力が指定程度となるよう、例えば出っ張り４０が十分に変形、破断又は分離して本装置１０が器具１２から分離されるよう設けるとよい。例えば、設計上、特定及び／又は所定の力によりそこで出っ張り４０が変形、破断又は分離する脆化部分又は領域を、出っ張り４０に設けるとよい。
【００３２】
加えて、出っ張り４０に代え他のアタッチメント機構及び／又は付勢部材を用いてもよい。その例としては、これに限られるものではないが、接着剤、ラッチ、スナップ若しくはシンチタイ若しくはファスナ、クランクファスナ、リング、アイレット等、既知の又は既知となるであろう他のあらゆる技術がある。器具１２が磁性素材例えば鉄系素材に吸着させうる素材を含有している場合、本装置１０に更に又は代わりに磁性的な部材を設けてもよい。このようにすれば、本装置１０を、少なくとも部分的には磁気的に、器具１２にしっかりと固定することができる。
【００３３】
図１０は一実施形態に係る照明装置１０の分解図であり、その照明装置１０を構成する諸部材と、それらのハウジング１６内配置とを描出している。
【００３４】
図１０及び図１６に示す通り、電源２８には１個又は複数個の電池を組み込むことができる。図１０及び図１６に示した電池２８はピン型電池であるので、本照明装置１０を、全体として細長く（基端と先端を結ぶ方向に長く）、その径方向外形（直径）が小さなものにすることができる。但し、太陽電池やコンデンサを含め、既知の又は既知となるであろう他のどのような種類の電源も、電池に代え使用することができる。加えて、ピン型電池に代え他種電池、例えばストリップ型電池、コイン電池及びクロス電池を用いてもよい。更に、電池は使い捨て電池でも充電式電池でもよい。１回だけ使用できる使い捨て電池の例としてはアルカリ電池、炭素亜鉛電池、リチウム電池、銀亜鉛電池及び亜鉛空気電池がある。図１０及び図１６に示したピン型電池２８は使い捨て型のリチウム電池である。こうしたピン型電池は高いエネルギ密度（例．８００Ｗｈ／ｌ）をもたらすものであり、広い温度域（例．−２０℃〜約６０℃）下で使用でき、２年超に亘りエネルギを蓄積でき、低い放電率（例．１％／年未満）を呈し、漏れ抵抗性があり、信頼でき、且つ重金属を含まなくて環境に優しい製品である。
【００３５】
図１１は、一実施形態に係る第１ハウジング要素３０の図１０内Ｃ−Ｃ線沿い断面図である。前述の通り、第１ハウジング要素３０には、電池２８の外殻を受容しうるよう本要素から外方に張り出された出っ張り３６と、第１ハウジング要素３０内に形成されていて出っ張り４０を受容可能な窪み４２と、ハウジング１６の先端付近にある壁５６の内法に形成された開口３４，５８，６０とを設けるとよい。更に、内方に延びる複数個の出っ張り６６を第１ハウジング要素３０に設けてハウジング１６をフレーム２２に連結するのに役立ててもよいし、Ｏリング６８その他の弾性手段をハウジングの開口内に配して汚染物質又は流体の侵入から保護してもよい。
【００３６】
図９及び図１０から最もよく分かるように、第１プレート２０がハウジング１６内で締める位置は、ハウジング１６の先端付近にある壁５６とフレーム２２との間であり、光源１８は、そのハウジング１６の壁５６を貫く開口５８，６０を通り外方に張り出している。第２プレート２４がハウジング１６内で占める位置はハウジング１６の基端付近である。
【００３７】
図１３には一実施形態に係る第１プレート２０を示しており、これは、プレート２０の内法にありそれを通じ器具１２のシャフト１４を受け容れうる開口７６と、プレート２０を貫く複数個の開口７８，８０，８２，８４を通り延びていてプレート２０の周沿いにある光源１８と、を有している。光源１８には、第１プレート２０の開口７８，８０，８２，８４内を通り延びるプロング８６，８８が備わっており、それらプロングは、第１プレート２０に固定又は形成されている複数個の電気回路９０，９２，９４に接続することができる。
【００３８】
図１４及び図１５として示されているのは、それぞれ、第２プレート２４の前斜視図及び後斜視図である。この第２プレート２４は、第１プレート２４に固定又は形成された複数個の電気回路９６，９８，９９と、回路９６，９８及び第２プレート２４を貫き延びる複数個の開口１００，１０２，１０４，１０６と、プレート２４を貫き延びる開口１００，１０２，１０４，１０６の位置にて第２プレート２４の第１面上にある回路９６，９８，９９に固定された複数個の圧縮バネ１０８とを有している。この実施形態では圧縮バネ１０８を示したが、既知の又は既知となるであろう他の付勢機構をそれに代え使用してもよい。
【００３９】
図１６からよく分かるように、複数個ある電源２８は第１プレート２０・第２プレート２６間に亘っており、その電源２８の端子１１０は第２プレート２６の開口１００，１０２，１０４，１０６を貫き延びている。組立後に、端子１１０を第２プレート２６の第２面に半田付けすることで、電源２８をその場に固定することができる。圧縮バネ１０８は、圧縮状態では電源２８の導電性外殻、例えばアルミニウム又は鋼たりうるそれと接触する。この圧縮バネ１０８に内在する復元バネ力が、電源２８の外殻との接触を維持するのに役立つ。同じく図１６から分かるように、光源１８に備わっていて径方向内側にある端子８６，８８は互いに電気的に導通していない。従って、完全な又は閉じた回路が形成されておらず、光源１８には電力が流れ込んでいない。
【００４０】
図１２は一実施形態に係るフレーム２２の斜視図である。このフレーム２２は、自フレーム２２の先端から延びる複数個のベロ−７０を有しており、また、任意の好適な導電素材例えば導電性金属で形成された導電リング又はプレート７２が、フレーム２２の先端に固定され又はフレーム２２内にモールドされている。フレーム２２のうち少なくともベロ−７０が弾性素材で形成されているので、フレーム２２及び／又はベロ−７０は膨れる（伸長する）余地及び縮む（短縮する）余地がある。このフレーム２２は少なくとも部分的に弾性素材で形成されているが、他の任意な素材で、少なくともベロ−７０が膨縮しうるようフレーム２２を形成することもできる。即ち、フレーム２２は複数素材の組合せでも単一の弾性素材でも形成できる。
【００４１】
フレーム２２先端の周沿い、ベロ−７０間には、装置１０の他の構成要素との連携及びクリアランス目的でギャップが延設されている。フレーム２２には、更に径方向内方及び外方に延びる複数個の出っ張り７４が備わっており、これは、フレーム２２をハウジング１６及びスリーブ２６に連結することで、フレーム２２を本照明アタッチメント１０の他の構成要素に連結している。更に、図１０ではフレーム２２及びスリーブ２６が２個の相独立した構成要素として示されているが、これらフレーム２２及びスリーブ２６を１個の単体要素として構成してもよい。
【００４２】
器具１２上への本装置１０の装着に先立つ初期状態では、図９から最もよく分かるように、ベロ−７０が生得的な状態であり、導電リング７２が第１プレート２０と接触せず例えばギャップで隔てられるよう十分に圧縮されている。光源１８に備わる径方向内側の端子８６，８８が互いに電気的に導通していないため、（図１６に示す如く）電気回路は開いていて光源が発光していない。ベロ−７０には（例えば図１０に示す如く）ベローズリング７０ａが備わっており、器具１２上に本装置１０を装着するとそれを通り器具１２が延びることとなる開口が、そのリングにより画定されている。
【００４３】
器具１２上に本照明アタッチメント１０を取り付けている最中には、ベロ−７０が軸方向に膨らむ。本装置１０が器具１２先端の指定部分に面し配されると、それは器具１２と連接する。連接中には、器具１２とフレーム２２例えばベローズリング７０ａとの間の摩擦によりフレーム２２の先端例えばベロ−７０が膨らみ、本装置１０の他構成部材に比べ伸びる。特に、導電リング７２が、第１プレート２０と接触するに至るまで第１プレート２０に対し先端方向に動く。より具体的には、光源１８に備わり径方向内側にあるプロング８６，８８にその導電リングが接触し、それらを互いに電気的に導通させる。これにより、電源２８との電気回路が完成して閉じられるので、電気が光源１８に供給されてその光源１８が発光する。
【００４４】
器具１２から本装置１０が外される際には逆の動作によって光源１８がターンオフされる。外される際にフレーム２２及びベロ−７０に働く摩擦力は装着する際のそれとは逆方向である。これらの力や、装着する際にその伸長によりベロ−７０内に蓄積された復元バネ力は、フレーム２２例えばベロ−７０を縮ませ、ひいては導電プレート７２を本装置１０の他構成部材に対し基端方向に動かす。その結果、ベロ−７０が図９に示したポジションへと縮み又は圧縮されるため、導電プレート７２が第１プレート２０及び径方向内方のプロング８６，８８から分離される。プロング８６，８８は互いに電気的に導通しなくなり、それにより回路が開かれる。そのため、本照明装置１０が器具１４に取り付けられていないときには、その光源１８はもはや発光しない。
【００４５】
注記すべきことに、上述の構成は、光源１８をターンオン及び／又はオフ可能な手法の一つに過ぎない。本発明は、既に既知のものか今後発見されるものかを問わず、これを実現できるあらゆる好適な手法を包括する。例えば、本照明装置１０にスイッチ又はボタンを設け、ユーザがそれを手動操作することで本装置１０をターンオン及びオフさせるようにしてもよい。
【００４６】
図１７に示す実施形態では、器具それ自体により器具１１２上に保持される別のコードレス照明付装置１００が提示されている。その器具１１２は基端及び先端を有している。器具１１２の先端には、シャフト１１４例えばブレードを受容しうる開口がある。そのシャフト１１４は器具１１２に挿入可能であり、既知の形態に従いその器具１１２の体部で保持可能である。この例では、シャフト１１４に、挿入時に器具１１２の先端上に座すよう構成されたカラー、リム又はショルダ１１５が備わっている。
【００４７】
照明付器具１００の諸構成要素は、指示のある個所を除き照明装置１０のそれと略同様である。例えば、本装置１００は、照明付装置１０と同様、ハウジング１１６とコードレス電源から給電を受ける少なくとも１個の光源１１８とを有し、自装置１００の基端から先端へと延びる開口又は空洞内に器具を受け容れる構成である。その空洞は、器具１１２の所定部分が本装置１１０で囲まれるよう、例えば当該所定部分に本装置１０を取り付けうるよう形状設定及び構成されている。図示の通り、本装置１１０は、器具１１２の先端上に連接させうるよう構成されている。このような構成では、光源１１８がシャフト１１４の極力近く、例えば手術部位の近くに位置することとなるが、器具１１２の機能性が貶められることはない。
【００４８】
図１７から分かるように、ハウジング１１６は先端から延びる出っ張り１１７を有しており、本装置の貫通孔がその出っ張り１１７により取り巻かれている。この出っ張り１１７によりその先端にリム１１９が形成されている。出っ張り１１７及びリム１１９の内径は、シャフト１１４を器具の先端に十分に挿入及び実装できるほど大きいが、シャフトのカラー１１５の外径よりは小さい。従って、シャフト１１４を器具内に挿入するとカラー１１５・リム１１９間に寸法的干渉が生じ、それにより、器具１１２の先端からの本装置１００の脱落が妨げられる。本装置１１０は、シャフト１１４、より具体的にはそのショルダ１１５により、器具にしっかりと固定される。シャフト１４４を器具１１２から取り外せる場合、更に、照明装置１０に関し上述したのと似た要領で、器具から本装置１１０を取り外すことができる。
【００４９】
図１８に示す別の実施形態例では、照明装置３００が器具上にまた別の要領で保持される。本照明装置３００の諸構成要素は、指示のある個所を除き、諸実施形態の照明装置１０及び１００で示したそれと略同様である。本装置３００のハウジング３０１はスリット３０３付のスプリットカラー３０２を有しており、そのスリット３０３は、長手方向に沿い、本装置３００の基端から幾ばくか入ったところまで延びており、同装置３００の先端に向かう途中で終わっている。この実施形態では、ハウジング３０１が、少なくとも僅かには可撓又はバネ状の素材で形成されている。本装置３００の空洞又は開口は器具の外面より小さい。本装置３００を器具上に装着すると、器具と本装置３００の空洞との間の寸法的干渉によって、またハウジング３０１を形成している素材の可撓性に応じ、そのスリットが拡大又は拡幅する。即ち、その空洞又は開口が、器具の外面を受け容れうる程に拡がる。
【００５０】
同時に、ハウジング３０１を形成している偏向素材内に蓄積されている復元バネ状力の働きで、器具の外面に対し逆向きの圧縮力が作用し、器具上への把持力及び／又は器具に対する摩擦力が生じることとなる。この力は、本装置３００を器具に取り付けられたままに保つのに役立とう。いわゆる当業者にはご理解頂けるように、この保持力は所望の通り又は好適な如くに定めることができる。例えば、いわゆる当業者にはご理解頂けるように、諸項目のうち、ハウジングを形成する素材をその素材の可撓性が所定程度となるよう選定すること、器具と本装置３００の空洞との間の寸法的干渉の量を選定することで器具上への本装置３００の装着に必要な撓み量又は偏向量を決めること、並びにハウジング３０１の全体としての可撓性に影響するスロット３０１の形状、寸法及び構成を選定することで、この力を定めることができる。
【００５１】
図１９に示す別の実施形態では、器具に照明装置４００をしっかりと固定するためにまた別の構成が採られている。本照明装置４００の諸構成要素は、指示のある個所を除き、諸実施形態の照明装置１０，１００及び３００について示したそれと略同様である。この実施形態のスリーブ４２６は複数個の出っ張り４２７を有しており、その出っ張り４２７は、スリーブ４２６の内周面から器具の受容先たる本装置の空洞内へと径方向内方に延びている。出っ張り４２７は可撓性、可圧縮性及び／又は弾性である。空洞内への出っ張り４２７の張り出し長は、その出っ張り４２７と器具の外面との間に寸法的干渉が生じるよう定めておく。器具を空洞内に挿入すると、これらの出っ張りが撓み又は圧縮されて器具が入っていく。更に、圧縮された／撓んだ出っ張り４２７に蓄積されている復元バネ力の働きで器具の外面に対し逆向きの内方圧縮力が作用する。これにより出っ張り４２７・器具間に生じる把持／摩擦力が、装置４００を器具に連接したままに保つのに役立つ。いわゆる当業者にはご理解頂けるように、この保持力は所望の通り又は好適な如くに定めることができる。例えば、いわゆる当業者にはご理解頂けるように、諸項目のうち、出っ張り４２７を形成する素材をその素材の可圧縮性／可撓性及び出っ張り４２７・器具間摩擦係数が所定程度となるよう選定すること、並びに器具・出っ張り４２７間の寸法的干渉の量を選定することで器具上への装置３００の装着に必要な撓み量又は偏向量ひいては逆向き圧縮力を決めることで、この力を定めることができる。ご理解頂けるように、この保持力は、本照明装置４００が稼働中に器具から不意に外れないよう、それでいて穏当な程度の力でユーザが本照明装置４００を取り付けること及び取り外すことができるように、定めるとよい。
【００５２】
他の実施形態としては、出っ張り４２７が磁性素材を含有するものがありうる。そうした実施形態では、本装置４００を、少なくとも部分的には磁気的に、磁性的な器具１２に対ししっかりと固定することができる。いわゆる当業者にはご理解頂けるように、出っ張り４２７・器具１２間磁性力の強さは、本装置４００・器具１２間の不意な分離が概ね生じない程度に強く、それでいて所望時に意図的に外せる程度に定めるとよい。
【００５３】
本発明の照明装置には複数の長所がある。同照明装置の長所のうち一つはそのサイズである。本照明アタッチメントの直径は器具の外周をほんの僅かに越える程度であるので、ユーザが器具を容易に操れる一方、機動性が損なわれることやユーザの視線が遮られることもない。実施形態によっては、その向きが本装置に対し概ね基端・先端間位置関係に沿っているピン形状電池の使用によりこうした実装上の長所がもたらされる。
【００５４】
更なる長所は、本照明アタッチメントを器具に容易に取り付けうること及び器具から容易に取り外しうることである。前述のように、本照明アタッチメントは、容易に、器具の先端に面し摺動させ使用中の器具と連接させることができる。器具から本照明アタッチメントを取り外したい場合、ユーザは、単に、本照明アタッチメントを取り外せるような軸方向圧力を本照明アタッチメントの基端に加えるだけでよい。同時に、器具からの本装置の不意な脱落も生じにくくなる。
【００５５】
もう一つの長所は、器具への本照明アタッチメントの取付と同時並行的に光源を発光させることができて組立及び使用が効率的になることである。本照明アタッチメントは器具に対する連接及び分離が可能な取付手段を有しており、使用中に器具から本装置が自然に外れてしまわないようにするための付加的なファスナが必要でない。
【００５６】
加うるに、本装置はコードレスであり自給式電源を有している。本装置は、電源コードを介し別の場所のコンセントや光源に接続する必要がない。コードがあると器具の扱いは面倒になり、その操作に助力が必要になることもある。また、既知のコード付装置では、高温になってユーザ及び／又は患者がやけどを負うことがあり得、更には火災が発生する余地もあった。本発明によれば、やけどや火災発生のリスクが軽減される。
【００５７】
更なる長所は、本発明の照明アタッチメントを器具上の所望又は所定個所にしっかりと固定できることである。そのため、照明の観点からも器具の操作性の観点からも、本装置の好適配置が可能である。
【００５８】
いわゆる当業者には本願での教示に基づきご理解頂けるように、上述のものを含め本発明の諸実施形態には、別紙特許請求の範囲で規定される本発明の技術的範囲からの逸脱無しに、様々な変更及び変形を施すことができる。そこで、本願での詳細説明は例示と捉えるべきで説明した個別の実施形態に限定されるものではないこと、並びに変形その他の実施形態が別紙特許請求の範囲による技術的範囲への包含を意図したものであることを、ご理解されたい。ある種の構成要素が別のある種の構成要素との組合せにて実施形態中に記述されているが、本発明がそうした組合せに限定されず、本願記載の構成要素の任意且つ生起しうる全ての組合せを包括及びカバーすることを、ご理解頂きたい。更に、本願では具体的な用語が使用されているが、それらは一般的且つ説明的な意味でのみ使用されているのであって、限定を目的として使用されているのではない。
【図１】
2018186100.tif 000003
【図２】
2018186100.tif 000004
【図３】
2018186100.tif 000005
【図４】
2018186100.tif 000006
【図５】
2018186100.tif 000007
【図６】
2018186100.tif 000008
【図７】
2018186100.tif 000009
【図８】
2018186100.tif 000010
【図９】
2018186100.tif 000011
【図１０】
2018186100.tif 000012
【図１１】
2018186100.tif 000013
【図１２】
2018186100.tif 000014
【図１３】
2018186100.tif 000015
【図１４】
2018186100.tif 000016
【図１５】
2018186100.tif 000017
【図１６】
2018186100.tif 000018
【図１７】
2018186100.tif 000019
【図１８】
2018186100.tif 000020
【図１９】
2018186100.tif 000021
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
基端及び先端を有しており、その基端から先端へと延びる略先細り又は円錐状の内部空洞を画定しており、当ハウジング内を通り基端から先端へと延びる開口がその内部空洞により形成されており、その内部に器具の先細り又は円錐状部分のうち所定部分のみが可着脱受容されうるよう構成されているハウジングと、
上記ハウジングの略先端に配置されており、視野を照らせるよう工夫及び構成されている少なくとも１個の光源と、
上記ハウジング内に配置されており、上記少なくとも１個の光源に電力を供給してその光源を発光させるよう工夫及び構成されている電源と、
を備える照明装置。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
照明装置を器具に装着するステップを含む、方法であって、
前記照明装置が、
基端及び先端を有して、その基端から先端に延びる内部空洞または開口を画定し、内部に前記器具の少なくとも一部を収容するように構成されているハウジングと、
視野を照らすように構成されている上記照明装置のほぼ前記先端に配置された少なくとも１個の光源と、
前記器具の少なくとも一部が前記内部空洞または開口に収容され、前記照明装置が前記器具に対して可脱固定された場合に、前記少なくとも１個の光源に自動的に送られる電力を供給するように構成されている電源と、
を備え、
前記装着ステップが、
前記器具と前記照明装置とを相対的に移動させて前記器具の少なくとも一部を前記内部空洞または開口の少なくとも一部内に配置するステップと、
前記照明装置を前記器具に固定するステップと、
を含み、
前記器具の前記少なくとも一部が前記内部空洞または開口に収容され、前記照明装置が前記器具に可脱固定されると、前記少なくとも１個の光源に電力を自動的に送るステップと、
前記少なくとも１個の光源を発光させるステップと、
を含む、方法。
【請求項２】
前記少なくとも１個の光源で視野を照明するステップをさらに含む、請求項１に記載の方法。
【請求項３】
前記視野を照明するステップが、前記少なくとも１個の光源からのＵＶ光で前記視野を照明するステップを含む、請求項２に記載の方法。
【請求項４】
前記視野を照明するステップが、前記視野を略対称的に照明するステップを含む、請求項２または３に記載の方法。
【請求項５】
前記少なくとも１個の光源が複数個の光源を含む、請求項１から４のいずれかに記載の方法。
【請求項６】
前記複数個の光源が、（ａ）前記照明装置が器具に装着された際には器具の、または（ｂ）前記内部空洞または開口の先端の、少なくともいずれかの周面の周りに配置されている、請求項５に記載の方法。
【請求項７】
前記複数個の光源が前記周面の周りに略等間隔に配置されている、請求項６に記載の方法。
【請求項８】
前記照明装置が、さらに、
前記電源から前記少なくとも１個の光源へと電力を送る電気回路であって、前記電気回路が開き、少なくとも１個の光源に電力が供給されない開状態と、前記電気回路が閉じ、少なくとも１個の光源に電力が供給される閉状態と、を有する電気回路と、
前記電気回路が前記開状態にある第１位置と、前記電気回路が前記閉状態にある第２位置とのあいだを移動する可動部分と、
を備え、
前記移動のステップのあいだに、前記可動部分を前記第１の位置から第２の位置に移動させることにより、前記少なくとも１個の光源に電力を送るステップ、
をさらに含む、請求項１から７に記載の方法。
【請求項９】
前記照明装置を前記器具から取り外すステップをさらに含む、請求項１から８に記載の方法。
【請求項１０】
前記取り外すステップのあいだに、前記少なくとも１個の電源を自動的に切るステップをさらに含む、請求項９に記載の方法。
【請求項１１】
前記取り外すステップが、前記可動部分を前記第２の位置から前記第１の位置に移動させるステップを含む、請求項９または１０に記載の方法。
【請求項１２】
照明装置を器具に装着するステップを含む、方法であって、
前記照明装置が、
基端及び先端を有して、その基端から先端に延びる内部空洞または開口を画定し、内部に前記器具の少なくとも一部を着脱可能に収容するように構成されているハウジングと、
視野を照らすように構成されている上記照明装置のほぼ前記先端に配置された少なくとも１個の光源と、
前記内部空洞または開口の内部に延び、前記器具の前記少なくとも一部に連接して前記照明装置を前記器具に可脱取付するように構成された、少なくとも１個の出っ張りまたは突起と、
を備え、
前記少なくとも１個の出っ張りまたは突起が、（ｉ）前記先端に向かい所定の角度で前記内部空洞または開口内部に延びるか、（ｉｉ）前記内部空洞または開口内部に延びる梃子腕を含むか、（ｉｉｉ）前記器具の前記少なくとも一部に連接して前記照明装置を前記器具に可脱取付するように構成されたタングを含むか、の少なくともいずれかであり、
前記装着ステップが、
前記器具と前記照明装置とを相対的に移動させて前記器具の少なくとも一部を前記内部空洞または開口の少なくとも一部内に配置するステップと、
前記器具の前記少なくとも一部を、前記少なくとも１個の出っ張りまたは突起に連接させ、前記照明装置を前記器具に可脱固定するステップと、
を含む、方法。
【請求項１３】
前記少なくとも１個の出っ張りまたは突起が、第１リムと、前記第１リムから所定の角度で前記基端に向かって延びている第２リムとを含む、請求項１２に記載の方法。
【請求項１４】
前記少なくとも１個の出っ張りが、前記器具の前記少なくとも一部との間に摩擦を起こすように構成された、前記出っ張りを覆って延びる弾性スリーブまたは前記出っ張りの端部に付された被覆を備える、請求項１２または１３に記載の方法。
【請求項１５】
前記少なくとも１個の出っ張りまたは突起を前記器具から分離させるために前記少なくとも１個の出っ張りまたは突起を連接させるステップと、
前記照明装置を前記器具から取り外すステップと、
をさらに含む、請求項１２から１４のいずれかに記載の方法。
【請求項１６】
前記照明装置が、さらに、第１位置と第２位置とのあいだを移動可能な可動部分であって、前記第１位置では、前記少なくとも１個の出っ張りまたは突起を前記器具から分離させず、前記第２位置では、前記少なくとも１個の出っ張りまたは突起を連接させて少なくとも１個の出っ張りまたは突起を前記器具から分離させる、可動部分を含み、
前記連接ステップが、前記可動部分を前記第１の位置から前記第２の位置に移動させることを含む、請求項１５に記載の方法。
【請求項１７】
照明装置を器具に装着するステップを含む、方法であって、
前記照明装置が、
基端及び先端を有しており、その基端から先端に延びる内部空洞または開口を画定し、内部に前記器具の少なくとも一部を着脱可能に収容するように構成されているハウジングと、
前記内部空洞の内部に延び、前記器具の前記少なくとも一部に連接して前記照明装置を前記器具に可脱取付するように構成された、少なくとも１個の出っ張りまたは突起と、
視野を照らすように構成されている上記照明装置のほぼ前記先端に配置された少なくとも１個の光源と、
第１位置と第２位置とのあいだを移動可能な可動部分であって、前記可動部分が前記少なくとも１個の出っ張りまたは突起を前記器具から分離させない第１位置と、前記可動部分が前記少なくとも１個の出っ張りまたは突起を連接させて少なくとも１個の出っ張りまたは突起を前記器具から分離させる第２位置と、のあいだを移動可能な可動部分と、を含み、
前記装着ステップが、
前記器具と前記照明装置とを相対的に移動させて前記器具の少なくとも一部を前記内部空洞または開口の少なくとも一部内に配置するステップと、
前記器具の前記少なくとも一部を、前記少なくとも１個の出っ張りまたは突起に連接させ、前記照明装置を前記器具に可脱固定するステップと、
を備え、
前記可動部分を前記第１位置から前記第２位置に移動し、これにより、前記前記少なくとも１個の出っ張りまたは突起を前記可動部分に連接させ、前記少なくとも１個の前記少なくとも１個の出っ張りまたは突起を前記器具から分離させるステップと、
前記照明装置を前記器具から取り外すステップと、
を含む、方法。
【請求項１８】
前記可動部分を移動するステップが、前記可動部分を先端方向に前記先端に向かって移動させるステップを含む、請求項１６または１７に記載の方法。
【請求項１９】
前記可動部分がユーザによって連接可能であり、前記可動部分を移動するステップが、ユーザが前記可動部分を連接するステップを含む、請求項１６から１８のいずれかに記載の方法。
【請求項２０】
前記装着ステップの間または後に、前記少なくとも１個の光源に電力を送るステップと、
前記少なくとも１個の光源を発光させるステップと、
前記少なくとも１個の光源で視野を照明するステップと、
をさらに含む、
請求項１２から１９のいずれかに記載の方法。
【請求項２１】
前記照明装置が、前記ハウジング内に配置され、前記少なくとも１個の光源に電力を送るように構成された電源を含む、請求項１２から２０のいずれかに記載の方法。
【請求項２２】
前記照明装置の前記器具への前記装着時に、前記少なくとも１個の光源を自動的に発光させるステップを含む、請求項１２から２１のいずれかに記載の方法。
【請求項２３】
前記器具がハンドヘルド式電子手術装置である、請求項１２から２２のいずれかに記載の方法。
【請求項２４】
前記照明装置がその先端部またはその付近に先細または円錐状の部分を有し、前記固定ステップが、前記照明装置を、前記先細または円錐状部分において、前記電子手術装置に固定するステップを含む、請求項２３に記載の方法。
【請求項２５】
前記器具が基端ハンドル部分を含み、前記装着ステップが、前記照明装置を、前記電子手術装置の、前記ハンドル部分より先端方向に位置する部分に装着するステップ、請求項２３または２４に記載の方法。
【請求項２６】
前記取り外しステップの前に、前記電子手術装置から電子手術ブレードを分離するステップを含む、請求項２３から２５のいずれかに記載の方法。
【請求項２７】
前記電子手術装置に電子手術ブレードを取り付けるステップを含む、請求項２３から２６のいずれかに記載の方法。
【請求項２８】
前記取付けステップが、前記電子手術ブレードの基端を、前記内部空洞または開口の先端を通過して挿入するステップを含む、請求項２７に記載の方法。
【請求項２９】
前記取付けステップを前記装着ステップの前に行うステップを含む、請求項２７または２８に記載の方法。
【請求項３０】
前記電子手術ブレードを前記電子手術装置から分離するステップと、
（ａ）前記電子手術ブレードを前記電子手術装置に再び取り付けるステップ、または（ｂ）前記照明装置を前記前記電子手術装置から取り外さずに、第２の電子手術ブレードを前記電子手術装置に取り付けるステップと、請求項２７から２９のいずれかに記載の方法。